(57)【要約】【課題】室外熱交換器の大型化を抑制しつつ、冷却システムの製造原価低減を図る。【解決手段】吸着剤から吸熱した熱を第１室外熱交換器８のみで大気中に放熱する場合と第１室外熱交換器８及び第２室外熱交換器９の両室外熱交換器で大気中に放出する場合とを切り換える。これにより、脱離工程から吸着工程に移行した直後等の放熱負荷が大きくなるときであっても、第１室外熱交換器８単体の放熱能力を大きくすることなく、十分な放熱能力を得ることができる。したがって、第１室外熱交換器８と第２室外熱交換器９とを第２室外熱交換器９の仕様に合わせて同一の仕様とすることができるとともに、第１ファン８ａと第２ファン９ａと第２ファン９ａの仕様を同一の仕様とすることができ得る。延いては、室外熱交換器の大型化を抑制しつつ、冷却システムの製造原価低減を図ることができる。【選択図】        図１
2004324988.tif 000002
【特許請求の範囲】
【請求項１】
発熱体で発生した熱を吸熱して蒸発した気相冷媒を吸着するとともに、加熱されることによりその吸着していた冷媒を脱離する吸着剤、
前記吸着剤と熱媒体とを熱交換する第１熱交換器（６）、
前記吸着剤から脱離した気相冷媒と熱媒体とを熱交換する第２熱交換器（７）、及び
前記第１熱交換器（６）及び前記第２熱交換器（７）のうち少なくとも一方の熱交換器にて加熱された熱媒体と大気とを熱交換する第１、２放熱器（８、９）を有する吸着式冷凍機（４）と、
熱媒体の流れを制御する制御手段（１０ａ〜１０ｈ、１０ｊ）とを備え、
前記制御手段（１０ａ〜１０ｈ、１０ｊ）は、前記第１熱交換器（６）と前記第１放熱器（８）との間で熱媒体を循環させる第１循環モード、前記第２熱交換器（７）と前記第２放熱器（９）との間で熱媒体を循環させる第２循環モード、並びに前記第１、２熱交換器（６、７）及び前記第１、２放熱器（８、９）間で熱媒体を循環させる第３循環モードのいずれかを、外気温度に基づいて切り換えることを特徴とする発熱体の冷却システム。
【請求項２】
前記制御手段（１０ａ〜１０ｈ、１０ｊ）は、外気温度が所定温度以上のときには、前記第３循環モードとして状態で、前記第１熱交換器にて加熱された熱媒体と前記第２熱交換器にて加熱された熱媒体と混合して、その混合した熱媒体を前記第１、２放熱器（８、９）に循環させることを特徴とする請求項１に記載の発熱体の冷却システム。
【請求項３】
前記第１、２放熱器（８、９）は、冷却風流れに対して並列に配置されており、
さらに、前記制御手段（１０ａ〜１０ｈ、１０ｊ）は、外気温度が所定温度以上のときには、前記第３循環モードとして状態で、前記第１、２熱交換器（６、７）及び前記第１、２放熱器（８、９）を熱媒体流れに対して直列接続することをを特徴とする請求項１又は２に記載の発熱体の冷却システム。
【請求項４】
前記制御手段（１０ａ〜１０ｈ、１０ｊ）は、外気温度が所定温度以上のときには、前記第３循環モードとした状態で、前記第１熱交換器にて加熱された熱媒体と前記第２熱交換器にて加熱された熱媒体と混合して、その混合した熱媒体を前記第１、２放熱器（８、９）に直列に流すことを特徴とする請求項１又は２に記載の発熱体の冷却システム。
【請求項５】
発熱体で発生した熱を吸熱して温度を上昇した熱媒体を、前記第１放熱器（８）及び前記第２放熱器（９）のうち少なくとも一方に循環させることを特徴とする請求項１ないし４のいずれか１つに記載の発熱体の冷却システム。
【請求項６】
前記発熱体には、耐熱温度が相違する少なくとも２種類の発熱体があり、
さらに、前記２種類の発熱体のうち耐熱温度が低い発熱体は、前記２種類の発熱体のうち耐熱温度が高い発熱体で発生した熱にて稼動する前記吸着式冷凍機（４）にて冷却され得ることを特徴とする請求項１ないし５のいずれか１つに記載の発熱体の冷却システム。
【請求項７】
前記第１放熱器（８）及び前記第２放熱器（９）のいずれか一方のみにて熱媒体と大気とを熱交換する第４循環モードを有することを特徴とする請求項１ないし６のいずれか１つに記載の発熱体の冷却システム。
【請求項８】
前記第１放熱器（８）と前記第２放熱器（９）とは、同一仕様の熱交換器であることを特徴とする請求項１ないし７のいずれか１つに記載の発熱体の冷却システム。
【請求項９】
前記第１放熱器（８）に冷却風を送風する第１送風機（８ａ）、及び前記第２放熱器（９）に冷却風を送風する第２送風機（９ａ）を有し、
前記第１、２送風機（８ａ、９ａ）は、同一仕様の送風機であることを特徴とする請求項１ないし８のいずれか１つに記載の発熱体の冷却システム。
【請求項１０】
前記第１放熱器（８）に熱媒体を循環させる第１ポンプ（１１ｄ）、及び前記第２放熱器（９）に熱媒体を循環させる第２ポンプ（１１ｃ）を有し、
前記第１、２ポンプ（１１ｃ、１１ｄ）は、同一仕様のポンプであることを特徴とする請求項１ないし９のいずれか１つに記載の発熱体の冷却システム。
【請求項１１】
請求項１ないし１０のいずれか１つに記載の発熱体の冷却システムにて、電気機器及び電子機器を冷却することを特徴とする携帯電話基地局。
【発明の詳細な説明】
【０００１】
【発明の属する技術分野】
本発明は発熱体を冷却する冷却システムに関するもので、例えば携帯電話基地局内の電子機器、電気機器、電気変換器、バッテリ等の冷却に用いて有効である。
【０００２】
【従来の技術】
従来の吸着式冷凍機を用いた携帯電話基地局用冷却システムでは、吸着式冷凍機の吸着コアで吸着剤を冷却した吸着剤用冷却水と、凝縮コアで冷媒を凝縮させた凝縮用冷却水とを混合して室外熱交換器に供給し、携帯電話基地局内で発生した熱を室外熱交換器から大気中に放熱している（例えば、特許文献１参照）。
【０００３】
また、特許文献１の記載の他の実施形態では、吸着剤用冷却水を冷却する第１室外熱交換器、及び凝縮用冷却水を冷却する第２室外熱交換器を設けて携帯電話基地局内で発生した熱を室外熱交換器から大気中に放熱している。
【０００４】
【特許文献１】
特開２００２−１００８９１号公報
【０００５】
【発明が解決しようとする課題】
吸着式冷凍機では、周知のごとく、気相冷媒を吸着剤に吸着させることにより液相冷媒を蒸発させて冷凍能力を得るものであるが、吸着剤の吸着能力は、吸着剤の雰囲気湿度（関係湿度）が大きくなるほど大きくなるものの、吸着剤が気相冷媒を吸着する際には、凝縮熱相当の熱（吸着熱）が発生するので、吸着剤にて気相冷媒を吸着させる吸着工程時には、吸着剤を冷却して関係湿度が低下することを抑制する必要がある。
【０００６】
また、吸着剤の吸着能力が飽和状態になると、吸着剤を冷却しても気相冷媒を吸着することができず、液相冷媒の蒸発が停止することから、通常、吸着剤が飽和した場合には、その飽和した吸着剤を加熱することにより吸着剤から気相冷媒を脱離放出させるとともに、その脱離した気相冷媒を冷却凝縮させて液相冷媒を再生する脱離（再生）工程を行う。つまり、吸着式冷凍機では、吸着工程と脱離工程とを交互に繰り返すことにより連続的又は間欠的に冷凍能力を発生させる。
【０００７】
ところで、吸着剤は、前述のごとく、吸着工程時には冷却され、脱離工程時には加熱されるので、吸着剤を冷却又は加熱する熱交換器、つまり吸着コアは、吸着工程時には冷却され、脱離工程時には加熱される。
【０００８】
このため、脱離工程から吸着工程に移行した直後においては、気相冷媒を吸着することにより発生吸着熱は勿論のこと、温度が上昇した吸着コア及び吸着剤に蓄えられた熱も含めて冷却する必要があり、吸着剤用冷却水を冷却する第１室外熱交換器は、これら全ての熱を放熱し得る仕様とする必要がある。
【０００９】
これに対して、凝縮コアの周囲は基本的に冷媒が飽和した状態であり、吸着工程から脱離工程に移行した直後であってもその温度変化は、脱離工程から吸着工程に移行した直後の吸着コアに比べると十分に小さいので、凝縮用冷却水を冷却する第２室外熱交換器は、脱離した気相冷媒を凝縮させるに必要な熱、つまり凝縮熱を放熱し得る程度の仕様で十分である。
【００１０】
したがって、第１室外熱交換器は、通常、第２室外熱交換器より大型になってしまうので、第１室外熱交換器と第２室外熱交換器とを同一仕様の熱交換器として、冷却システムの製造原価低減を図ることが難しい。
【００１１】
また仮に、第１室外熱交換器と第２室外熱交換器とを同一仕様の熱交換器とすると、第２室外熱交換器の仕様を第１室外熱交換器に合わせざるを得ないので、第２室外熱交換器が不必要に大型化してしまう。
【００１２】
本発明は、上記点に鑑み、第１には、従来と異なる新規な発熱体の冷却システムを提供し、第２には、室外熱交換器の大型化を抑制しつつ、冷却システムの製造原価低減を図ることを目的とする。
【００１３】
【課題を解決するための手段】
本発明は、上記目的を達成するために、請求項１に記載の発明では、発熱体で発生した熱を吸熱して蒸発した気相冷媒を吸着するとともに、加熱されることによりその吸着していた冷媒を脱離する吸着剤、吸着剤と熱媒体とを熱交換する第１熱交換器（６）、吸着剤から脱離した気相冷媒と熱媒体とを熱交換する第２熱交換器（７）、及び第１熱交換器（６）及び第２熱交換器（７）のうち少なくとも一方の熱交換器にて加熱された熱媒体と大気とを熱交換する第１、２放熱器（８、９）を有する吸着式冷凍機（４）と、熱媒体の流れを制御する制御手段（１０ａ〜１０ｈ、１０ｊ）とを備え、制御手段（１０ａ〜１０ｈ、１０ｊ）は、第１熱交換器（６）と第１放熱器（８）との間で熱媒体を循環させる第１循環モード、第２熱交換器（７）と第２放熱器（９）との間で熱媒体を循環させる第２循環モード、並びに第１、２熱交換器（６、７）及び第１、２放熱器（８、９）間で熱媒体を循環させる第３循環モードのいずれかを、外気温度に基づいて切り換えることを特徴とする。
【００１４】
これにより、吸着剤から吸熱した熱を第１放熱器（８）のみで大気中に放熱する場合と第１放熱器（８）及び第２放熱器（９）の両放熱器で大気中に放出する場合とを切り換えることができ得るので、脱離工程から吸着工程に移行した直後等の放熱負荷が大きくなるときであっても、第１放熱器（８）単体の放熱能力を大きくすることなく、十分な放熱能力を得ることができる。
【００１５】
したがって、第１放熱器（８）と第２放熱器（９）とを第２放熱器（９）の仕様（放熱能力）に合わせて同一の仕様とすることができるので、冷却システムの大型化を抑制しつつ、冷却システムの製造原価低減を図ることができる。
【００１６】
請求項２に記載の発明では、制御手段（１０ａ〜１０ｈ、１０ｊ）は、外気温度が所定温度以上のときには、第３循環モードとして状態で、第１熱交換器にて加熱された熱媒体と第２熱交換器にて加熱された熱媒体と混合して、その混合した熱媒体を第１、２放熱器（８、９）に循環させることを特徴とするものである。
【００１７】
請求項３に記載の発明では、第１、２放熱器（８、９）は、冷却風流れに対して並列に配置されており、さらに、制御手段（１０ａ〜１０ｈ、１０ｊ）は、外気温度が所定温度以上のときには、第３循環モードとして状態で、第１、２熱交換器（６、７）及び第１、２放熱器（８、９）を熱媒体流れに対して直列接続することをを特徴とするものである。
【００１８】
請求項４に記載の発明では、制御手段（１０ａ〜１０ｈ、１０ｊ）は、外気温度が所定温度以上のときには、第３循環モードとした状態で、第１熱交換器にて加熱された熱媒体と第２熱交換器にて加熱された熱媒体と混合して、その混合した熱媒体を第１、２放熱器（８、９）に直列に流すことを特徴とするものである。
【００１９】
請求項５に記載の発明では、発熱体で発生した熱を吸熱して温度を上昇した熱媒体を、第１放熱器（８）及び第２放熱器（９）のうち少なくとも一方に循環させることを特徴とするものである。
【００２０】
請求項６に記載の発明では、発熱体には、耐熱温度が相違する少なくとも２種類の発熱体があり、さらに、２種類の発熱体のうち耐熱温度が低い発熱体は、２種類の発熱体のうち耐熱温度が高い発熱体で発生した熱にて稼動する吸着式冷凍機（４）にて冷却され得ることを特徴とするものである。
【００２１】
なお、請求項５と６と組み合わせた発明では、耐熱温度の異なる２種類の発熱体をそれぞれに適した温度とすることができ得る。
【００２２】
請求項７に記載の発明では、第１放熱器（８）及び第２放熱器（９）のいずれか一方のみにて熱媒体と大気とを熱交換する第４循環モードを有することを特徴とする。
【００２３】
これにより、吸着式冷凍機（４）に支障が発生したときであっても、発熱体を冷却することができる。
【００２４】
請求項８に記載の発明では、第１放熱器（８）と第２放熱器（９）とは、同一仕様の熱交換器であることを特徴とするものである。
【００２５】
請求項９に記載の発明では、第１放熱器（８）に冷却風を送風する第１送風機（８ａ）、及び第２放熱器（９）に冷却風を送風する第２送風機（９ａ）を有し、第１、２送風機（８ａ、９ａ）は、同一仕様の送風機であることを特徴とするものである。
【００２６】
請求項１０に記載の発明では、第１放熱器（８）に熱媒体を循環させる第１ポンプ（１１ｄ）、及び第２放熱器（９）に熱媒体を循環させる第２ポンプ（１１ｃ）を有し、第１、２ポンプ（１１ｃ、１１ｄ）は、同一仕様のポンプであることを特徴とするものである。
【００２７】
請求項１１に記載の発明では、請求項１ないし１０のいずれか１つに記載の発熱体の冷却システムにて、電気機器及び電子機器を冷却することを特徴とするものである。
【００２８】
因みに、上記各手段の括弧内の符号は、後述する実施形態に記載の具体的手段との対応関係を示す一例である。
【００２９】
【発明の実施の形態】
（第１実施形態）
本実施形態は、本発明に係る発熱体の冷却システムを携帯電話の基地局１内の電子機器や電気機器等の冷却に適用したものであり、図１は本実施形態に係る冷却システムの模式図である。
【００３０】
基地局１内には、比較的発熱量が多く、かつ、高温となる電波送信用アンプ、電波出力制御盤、整流器、電子機器、電気機器及び電気変換器等からなる第１発熱体２と、第１発熱体２より低温で冷却する必要がある回路制御盤、バッテリ、電子機器、電気機器、電気変換器及びモデム等からなる第２発熱体３と、両発熱体２、３を冷却する冷凍機４とが設けられている。
【００３１】
なお、両発熱体２、３は単独で稼動するものではなく、両者２、３が連動して稼動するもので、第１発熱体２は、第２発熱体３に比べて高い耐熱温度を有するものであり、第１発熱体２は、後述するように冷却水等の熱媒体が循環させられて水冷にて冷却される。
【００３２】
一方、第２発熱体３は、電子機器又は電気機器の実装密度が高く、冷却水を循環させることが難しいため、冷却器３ａにて冷却された基地局１内の空気、つまり内気が吹き付けられることにより強制空冷される。
【００３３】
また、冷凍機４は、第１発熱体２から吸熱し、その吸熱した熱により吸着剤を加熱することにより稼働する吸着式冷凍機であり、以下、吸着式冷凍機（冷凍機４）について述べる。
【００３４】
なお、吸着剤は、冷媒（本実施形態では、水）を吸着するとともに、加熱されることにより吸着していた冷媒を脱離するもので、本実施形態では、シリカゲルやゼオライト等の固体吸着剤を採用している。
【００３５】
また、吸着器５は内部が略真空に保たれた状態で冷媒が封入された容器であり、この吸着器５内には、吸着剤と熱媒体とを熱交換する第１熱交換器６と、熱媒体と吸着器５内に封入された冷媒とを熱交換する第２熱交換器７とが収納されている。
【００３６】
第１熱交換器６は、熱媒体が流れる複数本のチューブ、及びチューブの外表面に設けられて伝熱面積を増大させるフィン等からなるコア部の外表面に吸着剤がエポキシ樹脂等で接着された吸着コアをなすものであり、第２熱交換器７は、第１熱交換器６と同様に熱媒体が流れる複数本のチューブ、及びチューブの外表面に設けられて伝熱面積を増大させるフィン等からなる蒸発／凝縮コアをなすものであり、本実施形態では、第１熱交換器６を第２熱交換器７より上方側に位置させている。
【００３７】
因みに、本実施形態では、熱媒体として、エチレングリコール系の不凍液が混入された水、アルコールが混入された水又は水等の流体であって、機器類の腐食を抑制する防錆材が混入されたものを使用しているが、本実施形態はこれに限定されるものではない。
【００３８】
なお、本実施形態に係る冷凍機４は、複数個の吸着器５ａ、５ｂから構成されており、紙面上側の吸着器５ａ（以下、第１吸着器５ａと呼ぶ。）と紙面下側の吸着器５ｂ（以下、第２吸着器５ｂと呼ぶ。）とは、同じ構成であるので、両者を総称して呼ぶときは、吸着器５と表記する。また、熱交換器６、７の添え字ａは第１吸着器５ａ内の熱交換器であることを示し、ｂは第２吸着器５ｂ内の熱交換器であることを示す。
【００３９】
第１、２室外熱交換器８、９は基地局１の建物外に配設されて熱媒体と室外空気（大気）とを熱交換する放熱器であり、第１ファン８ａは第１室外熱交換器８に冷却用空気を送風する送風機であり、第２ファン９ａは第２室外熱交換器９に冷却用空気を送風する送風機である。
【００４０】
また、第１集熱器２ａは第１発熱体２で発生する熱を集めてその集めた熱と熱媒体と熱交換させるものであり、第２集熱器、つまり冷却器３ａは冷凍機４にて冷却された熱媒体とファン３ｂにより第２発熱体３に吹き付けられる冷却風とを熱交換してこの冷却風を冷却する熱交換器である。
【００４１】
バルブ１０ａ〜１０ｈは熱媒体流れを切り替えるロータリ式バルブであり、バルブ１０ｊは熱媒体通路を開閉する開閉バルブであり、ポンプ１１ａ〜１１ｄは熱媒体を循環させる電動式ポンプであり、これら１０ａ〜１０ｈ、１０ｊ、１１ａ〜１１ｄは、図示しない電子制御装置にて制御されている。
【００４２】
次に、本実施形態に係る冷却システムの作動を述べる。
【００４３】
１．通常運転モード
このモードは、第１発熱体２から吸熱し、その吸熱した廃熱により冷凍機４を稼動させて第２発熱体３を冷却するもので、外気温度が２０℃〜３０℃程度の低・中外気温度時に実行されるものである。
【００４４】
具体的には、以下に述べる第１、２基本作動モードを所定時間毎に切換運転するものである。因みに、所定時間は、吸着剤に吸着されていた冷媒を脱離させるに必要な時間に基づいて適宜選定されるものである。
【００４５】
なお、本実施形態では、第１発熱体２は１５０℃以下となるように冷却（吸熱）されており、第２発熱体３は外気温度（３５℃〜４５℃）以下程度となるように冷却され、冷凍機４は５０℃以上、１００℃以下で所定の冷凍能力が発揮するように各種諸元が決定されている。
【００４６】
１．１  第１基本作動モード
このモードでは、図１に示すように、冷却器３ａと第２吸着器５ｂの第２熱交換器７ｂとの間で熱媒体を循環させることにより、第２吸着器５ｂ内の冷媒を蒸発させて冷却器３ａに冷却された熱媒体を供給することによって第２発熱体３を冷却するとともに、第２吸着器５ｂ内で蒸発した気相冷媒、すなわち水蒸気を第２吸着器５ｂ内の吸着剤にて吸着する。
【００４７】
このとき、吸着剤は凝縮熱に相当する熱量を発熱し、かつ、吸着剤の温度が上昇すると吸着能力が低下するので、第１室外熱交換器８にて冷却された熱媒体を第２吸着器５ｂの第１熱交換器６ｂに供給することにより吸着剤を冷却する。
【００４８】
一方、第１吸着器５ａの第１熱交換器６ａには、第１集熱器２ａにて熱媒体に吸熱された熱を、熱媒体を介して第１吸着器５ａの吸着剤に供給することより吸着剤を加熱し、吸着剤に吸着していた冷媒を脱離させるとともに、第１吸着器５ａの第２熱交換器７ａに第２室外熱交換器９にて冷却された熱媒体を供給し、その脱離した気相冷媒（水蒸気）を第２熱交換器７ａにて冷却して凝縮させる。
【００４９】
以下、冷媒を蒸発させて冷凍能力を発揮しつつ、その蒸発した気相冷媒を吸着剤にて吸着させている状態にある吸着器５のことを、「吸着工程にある吸着器５」と呼び、吸着剤を加熱して吸着していた冷媒を脱離させつつ、その脱離した冷媒を冷却凝縮させている状態にある吸着器５のことを、「脱離工程にある吸着器５」と呼ぶ。
【００５０】
１．２  第２基本作動モード
このモードは、第１基本作動モードとは逆に、第１吸着器５ａを吸着工程とし、第２吸着器５ｂを脱離工程とするものである。
【００５１】
具体的には、冷却器３ａと第１吸着器５ａの第２熱交換器７ａとの間で熱媒体を循環させることにより、第１吸着器５ａ内の冷媒を蒸発させて冷却器３ａに冷却された熱媒体を供給することによって第２発熱体３を冷却するとともに、第１吸着器５ａ内で蒸発した気相冷媒（水蒸気）を第１吸着器５ａ内の吸着剤にて吸着する。
【００５２】
このとき、第１室外熱交換器８にて冷却された熱媒体を第１吸着器５ａの第１熱交換器６ａに供給することにより吸着剤を冷却する。
【００５３】
一方、第２吸着器５ｂの第１熱交換器６ｂには、第１集熱器２ａにて熱媒体に吸熱された熱を熱媒体を介して第２吸着器５ｂの吸着剤に供給することより吸着剤を加熱し、吸着剤に吸着していた冷媒を脱離させるとともに、第２吸着器５ｂの第２熱交換器７ｂに第２室外熱交換器９にて冷却された熱媒体を供給し、その脱離した気相冷媒を第２熱交換器７ｂにて冷却して凝縮させる。
【００５４】
２．高外気温度時モード
このモードは、外気温度が３０℃程度の以上の高外気温度時に実行されるものであって、通常運転モード時では、第１室外熱交換器８にて第１熱交換器６で吸熱した熱を大気（外気）中に放熱し、第２室外熱交換器９にて第２熱交換器７で吸熱した熱を大気中に放熱していたが、本モードでは、第１、２熱交換器６、７及び第１、２室外熱交換器８、９間で熱媒体を循環させるにより、第１熱交換器６で吸熱した熱と第２熱交換器７で吸熱した熱とを冷却風流れに対して並列に配置され２台の室外熱交換器８、９にて大気中に放熱するものである。
【００５５】
具体的には、バルブ１０ｈを図２に示すように切り換えるとともに、バルブ１０ｊを開いて、第１熱交換器６で吸熱して温度が上昇した熱媒体と第２熱交換器７で吸熱して温度が上昇した熱媒体とを混合した後、第１、２室外熱交換器８、９に分配供給するものである。
【００５６】
なお、吸着器５は、通常運転モード時と同様に吸着工程と脱離工程とを所定時間毎に切り換え運転される。つまり以下の述べる２つのモードを所定時間毎に切り換え運転する。
【００５７】
２．１  モード１
冷却器３ａと第２吸着器５ｂの第２熱交換器７ｂとの間で熱媒体を循環させることにより、第２吸着器５ｂ内の冷媒を蒸発させて冷却器３ａに冷却された熱媒体を供給することによって第２発熱体３を冷却するとともに、第２吸着器５ｂ内で蒸発した気相冷媒を第２吸着器５ｂ内の吸着剤にて吸着する。
【００５８】
このとき、第１、２室外熱交換器８、９にて冷却された熱媒体を第２吸着器５ｂの第１熱交換器６ｂに供給することにより吸着剤を冷却する。
【００５９】
一方、第１吸着器５ａの第１熱交換器６ａには、第１集熱器２ａにて熱媒体に吸熱された熱を熱媒体を介して第１吸着器５ａの吸着剤に供給して吸着剤に吸着していた冷媒を脱離させるとともに、第１吸着器５ａの第２熱交換器７ａに第１、２室外熱交換器８、９にて冷却された熱媒体を供給して、その脱離した気相冷媒を第２熱交換器７ｂにて冷却して凝縮させる。
【００６０】
２．２  モード２
冷却器３ａと第１吸着器５ａの第２熱交換器７ａとの間で熱媒体を循環させることにより、第１吸着器５ａ内の冷媒を蒸発させて冷却器３ａに冷却された熱媒体を供給することによって第２発熱体３を冷却するとともに、第１吸着器５ａ内で蒸発した気相冷媒を第１吸着器５ａ内の吸着剤にて吸着する。
【００６１】
このとき、第１、２室外熱交換器８、９にて冷却された熱媒体を第１吸着器５ａの第１熱交換器６ａに供給することにより吸着剤を冷却する。
【００６２】
一方、第２吸着器５ｂの第１熱交換器６ｂには、第１集熱器２ａにて熱媒体に吸熱された熱を熱媒体を介して第２吸着器５ｂの吸着剤に供給することより吸着剤を加熱し、吸着剤に吸着していた冷媒を脱離させるとともに、第２吸着器５ｂの第２熱交換器７ｂに第１、２室外熱交換器８、９にて冷却された熱媒体を供給し、その脱離した気相冷媒を第２熱交換器７ｂにて冷却して凝縮させる。
【００６３】
３．吸着式冷凍機非作動モード
本モードは、冬等の外気温度が十分に低く、吸着式冷凍機４を作動させる必要がない場合に実行する運転モードである。
【００６４】
具体的には、バルブ１０ｃ〜１０ｆを図３に示すように作動させて、冷却器３ａと第２室外熱交換器９とを繋いで冷却器３ａと第２室外熱交換器９との間で熱媒体を循環させて冷却器３ａで回収した熱、つまり第２発熱体３の熱を直接的に大気中に放熱する。
【００６５】
なお、本実施形態では、第２熱交換器７を熱媒体通路の一部として利用しているが、本実施形態はこれに限定されるものではない。
【００６６】
また、第１集熱器２ａと第１室外熱交換器８とを繋いで第１集熱器２ａと第１室外熱交換器８との間で熱媒体を循環させて第１発熱体２で発生する熱を直接的に大気中に放熱する。
【００６７】
４．通常運転回路故障時モード
本モードは、吸着式冷凍機４を稼動させるための熱媒体回路に異常が発生したときに行われるモードである。
【００６８】
具体的には、バルブ１０ａ、１０ｂ、１０ｇ、１０ｈを図４に示すように作動させて、第１集熱器２ａと第１室外熱交換器８とを繋いで第１集熱器２ａと第１室外熱交換器８との間で熱媒体を循環させて第１発熱体２で発生する熱を直接的に大気中に放熱するものである。
【００６９】
なお、熱媒体が吸着器５側へ流れると、放熱ロスが発生するので、本実施形態ではバルブ１０ｃ〜１０ｆを全閉としている。
【００７０】
因みに、図４では、第１集熱器２ａと第１室外熱交換器８との間で熱媒体を循環させているが、本実施形態は、これに限定されるものではなく、例えば第１集熱器２ａと第２室外熱交換器９との間で熱媒体を循環させる、又は第１集熱器２ａと第１、２室外熱交換器８、９との間で熱媒体を循環させる等してもよい。
【００７１】
５．室外熱交換器故障時モード
本モードは、通常運転回路故障時モードに、第１室外熱交換器８、第１ファン８ａ及びポンプ１１ｄ等の室外熱交換器に関する機器が故障したときに実行されるモードである。
【００７２】
具体的には、バルブ１０ａ、１０ｂ、１０ｇ、１０ｈを図５に示すように作動させて、第１集熱器２ａと第２室外熱交換器９とを繋いで第１集熱器２ａと第２室外熱交換器９との間で熱媒体を循環させて第１発熱体２で発生する熱を直接的に大気中に放熱するものである。
【００７３】
次に、本実施形態の作用効果を述べる。
【００７４】
本実施形態では、吸着剤から吸熱した熱を第１室外熱交換器８のみで大気中に放熱する場合と第１室外熱交換器８及び第２室外熱交換器９の両室外熱交換器で大気中に放出する場合とを切り換えるので、脱離工程から吸着工程に移行した直後等の放熱負荷が大きくなるときであっても、第１室外熱交換器８単体の放熱能力を大きくすることなく、十分な放熱能力を得ることができる。
【００７５】
したがって、第１室外熱交換器８と第２室外熱交換器９とを第２室外熱交換器９の仕様（放熱能力）に合わせて同一の仕様とすることができるとともに、第１ファン８ａと第２ファン９ａと第２ファン９ａの仕様（送風能力）を同一の仕様とすることができ得る。
【００７６】
延いては、室外熱交換器の大型化を抑制しつつ、冷却システムの製造原価低減を図ることができる。
【００７７】
また、第１室外熱交換器８に熱媒体を循環させるポンプ１１ｄ、及び第２室外熱交換器９に熱媒体を循環させるポンプ１１ｃを同一仕様のポンプとすることができる。
【００７８】
また、吸着式冷凍機非作動モードには、ポンプ１１ａ、１１ｂを停止させることができるので、吸着式冷凍機４の消費動力を低減することができる。
【００７９】
また、通常運転回路故障時モードには、バルブ１０ｃ〜１０ｆを全閉としているので、故障した吸着器５を容易に修理又は交換することができる。同様に、ポンプ１１ａ、１１ｂ、第２室外熱交換器９及び第２ファン９ａを容易に修理又は交換することができる。
【００８０】
また、室外熱交換器故障時モードにおいても、通常運転回路故障時モードとと同様にバルブ１０ｃ〜１０ｆを全閉としているので、故障した吸着器５を容易に修理又は交換することができるとともに、ポンプ１１ａ、１１ｂ、第１室外熱交換器８及び第１ファン８ａを容易に修理又は交換することができる。
【００８１】
ところで、第１発熱体２は、第２発熱体３に比べて高い耐熱温度を有するので、第１発熱体２の適正温度と第２発熱体３の適正温度とは相違する。
【００８２】
そして、吸着式冷凍機非作動モード時には、第１発熱体２は第１室外熱交換器８にて冷却され、第２発熱体３は第２室外熱交換器９にて冷却されるので、両発熱体２、３を容易にそれぞれに適した温度とすることができる。
【００８３】
（第２実施形態）
第１実施形態では、高外気温度時モード時に、第１熱交換器６で吸熱して温度が上昇した熱媒体と第２熱交換器７で吸熱して温度が上昇した熱媒体とを混合した後、第１、２室外熱交換器８、９に分配供給したが、本実施形態では、第１、２熱交換器６、７及び第１、２室外熱交換器８、９を冷却用の熱媒体流れに対して直列接続するものである。
【００８４】
具体的には、図６に示すように、第１熱交換器６→第１室外熱交換器８→第２熱交換器７→第２室外熱交換器９→第１熱交換器６の順で冷却用の熱媒体を循環させるものである。
【００８５】
これにより、第１熱交換器６で吸熱した熱量と第２熱交換器７で吸熱した熱量とを２台の室外熱交換器８、９にて略均等に放熱することがで得るので、２台の室外熱交換器８、９を効率よく稼動させることができる。
【００８６】
因みに、本実施形態は、第２熱交換器７→第１室外熱交換器８→第１熱交換器６→第２室外熱交換器９→第２熱交換器７の順で冷却用の熱媒体を循環させてもよいことは言うまでもない。
【００８７】
なお、図７は本実施形態における通常運転モードを示す図であり、以下にの作動を述べる。
【００８８】
１．通常運転モード
吸着工程にある吸着器５の第１熱交換器６と第１室外熱交換器８との間で熱媒体を循環させて吸着剤を冷却することにより冷凍能力を発生させながら、脱離工程にある吸着器５の第２熱交換器７と第２室外熱交換器９との間で熱媒体を循環させて冷媒を再生する。
【００８９】
なお、吸着工程にある吸着器５と脱離工程にある吸着器５とを所定時間毎に切り換えることは言うまでもない。
【００９０】
２．高外気温度時モード時
吸着工程にある吸着器５の第１熱交換器６→第１室外熱交換器８→脱離工程にある吸着器５の第２熱交換器７→第２室外熱交換器９→吸着工程にある吸着器５の第１熱交換器６の順で冷却用の熱媒体を循環させることにより冷凍能力を発生させながら、冷媒を再生する。
【００９１】
３．吸着式冷凍機非作動モード
第１実施形態と同様に、冷却器３ａと第２室外熱交換器９とを繋いで冷却器３ａと第２室外熱交換器９との間で熱媒体を循環させて冷却器３ａで回収した熱、つまり第２発熱体３の熱を直接的に大気中に放熱するとともに、第１集熱器２ａと第１室外熱交換器８とを繋いで第１集熱器２ａと第１室外熱交換器８との間で熱媒体を循環させて第１発熱体２で発生する熱を直接的に大気中に放熱する。
【００９２】
４．通常運転回路故障時モード
第１実施形態と同様に、第１集熱器２ａと第１室外熱交換器８とを繋いで第１集熱器２ａと第１室外熱交換器８との間で熱媒体を循環させて第１発熱体２で発生する熱を直接的に大気中に放熱するものである。
【００９３】
５．室外熱交換器故障時モード
第１実施形態と同様に、第１集熱器２ａと第２室外熱交換器９とを繋いで第１集熱器２ａと第２室外熱交換器９との間で熱媒体を循環させて第１発熱体２で発生する熱を直接的に大気中に放熱するものである。
【００９４】
（その他の実施形態）
熱媒体は上述の実施形態に示されたもののみ限定されるものではなく、例えば水やアンモニア等の自然冷媒や、フロリナート等のフッ化炭素系冷媒、ＨＣＦＣ１２３、ＨＦＣ１３４ａ等のフロン系冷媒、メタノール、エタノール等のアルコール系冷媒、アセトン等のケトン系冷媒等が考えられる。
【００９５】
また、上述の実施形態では、携帯電話基地局を例に本発明を説明したが、本発明はこれに限定されるものではなく、ビル、地下室、工場、倉庫、住宅、車庫及び車両等の空間内に配設された複数種類の発熱体（例えば、ガスタービンエンジン、ガスエンジン、ディーゼルエンジン、ガソリンエンジン、燃料電池、電子機器、電気機器、電気変換器、蓄電池等）の冷却に適用することができる。
【図面の簡単な説明】
【図１】本発明の第１実施形態に係る冷却システムの模式図である。
【図２】本発明の第１実施形態に係る冷却システムの作動説明図である。
【図３】本発明の第１実施形態に係る冷却システムの作動説明図である。
【図４】本発明の第１実施形態に係る冷却システムの作動説明図である。
【図５】本発明の第１実施形態に係る冷却システムの作動説明図である。
【図６】本発明の第２実施形態に係る冷却システムの模式図である。
【図７】本発明の第２実施形態に係る冷却システムの作動説明図である。
【符号の説明】
１…携帯電話基地局、２…第１発熱体、３…第２発熱体、４…吸着式冷凍機、
５…吸着器、６…第１熱交換器（吸着コア）、
７…第２熱交換器（蒸発／凝縮コア）、８…第１室外熱交換器、
９…第２室外熱交換器。
【図１】
2004324988.tif 000003
【図２】
2004324988.tif 000004
【図３】
2004324988.tif 000005
【図４】
2004324988.tif 000006
【図５】
2004324988.tif 000007
【図６】
2004324988.tif 000008
【図７】
2004324988.tif 000009